(57)【要約】【課題】床面などに対して容易に着脱を可能とし、交換などの作業性を向上させる。【解決手段】基板２Ａ上面の略鉤状のマット用係止部２Ｂと、基板２Ａ下面の断面略長円形の軸状に形成され抜止部８を備えた係止部２Ｃとを具備する係止具本体２と、取付穴１４に挿入される係止軸１１と、係止軸１１に設けられるベース板１０と、ベース板１０中央に開口するとともに係止軸１１の下端にて略長円形状とされ係止軸１１を貫通し係止部２Ｃを回転自在に支持する貫通穴１２とを具備する取付体３と、基板２Ａ下面の係合凹部９ａとベース板１０上面の係合凸部９ｂとで構成され、互いの回転を抑止する係止手段９と、を具備し、貫通穴１２に係止部２Ｃが挿入され、係止具本体２を９０度回転させることで、貫通穴１２を拡径し係止軸１１下端を径方向に膨張させ、係止具本体２を床面２０に取り付ける。【選択図】　　　図１
2004137858.tif 000002
【特許請求の範囲】
【請求項１】
壁面或いは床面と被係止物との間に介設される基部と、該基部の表面より突設され前記被係止物が係止される対物係止部と、前記基部の裏面より突設され断面略長円形状の軸状に形成される係止部と、を具備する係止具本体と、
前記壁面或いは床面に穿設される取付穴に挿入される係止軸と、該係止軸の基端にフランジ状に設けられ前記取付穴の周囲を覆うベース板と、前記係止軸を軸線方向に貫通し前記ベース板中央に円形に開口するとともに前記係止軸の先端にて前記係止部が貫通する略長円形状とされ該係止部を回転自在に支持する貫通穴と、を具備する取付体と、
前記取付体の貫通穴に前記係止具本体の係止部が装着された状態で、前記係止具本体と取付体との互いに向き合う所定の面にそれぞれ設けられ、凸部と凹部とで構成されて、取付体に対する係止具本体の回転を抑止する係止手段と、
前記係止具本体と前記取付体とが、前記係止手段にて回転を抑止された状態で、前記係止具本体に対し前記取付体を抜脱不能に係着させる抜止部と、
を具備し、
前記取付穴に前記係止軸を挿通して取り付けられる前記取付体の貫通穴に、前記係止具本体の係止部が挿入され、該係止部を中心に前記取付体に対して前記係止具本体を所定角度回転させることで、前記取付体の貫通穴を拡径し前記係止軸先端を前記取付穴内にて径方向に膨張させて、前記係止具本体を前記取付体を介して前記壁面或いは床面に取り付けることを特徴とする係止構造。
【請求項２】
前記対物係止部は、先端が略鉤状に屈曲形成されていることを特徴とする請求項１記載の係止構造。
【請求項３】
前記対物係止部が、無端環状に形成されていることを特徴とする請求項１記載の係止構造。
【請求項４】
前記係止具本体の基部は、前記取付体のベース板を覆う板状に形成されていることを特徴とする請求項１，２，３のいずれか１つに記載の係止構造。
【請求項５】
前記係止具本体の基部は、前記取付体のベース板を覆うとともに、該ベース板の板面に沿って所定方向に延出する略長円板状に形成され、長手方向の一端近傍に前記係止部が設けられ、長手方向の他端近傍に対物係止部が設けられていることを特徴とする請求項１，２，３のいずれか１つに記載の係止構造。
【請求項６】
前記係止具本体の基部は、前記取付体のベース板を覆うとともに、該ベース板の板面に沿って所定方向に延出する略長円状に形成され、長手方向の一端近傍に前記係止部が設けられ、長手方向の他端近傍に対物係止部が設けられており、前記略鉤状先端が前記係止部に向けて屈曲形成されることを特徴とする請求項２記載の係止構造。
【請求項７】
前記係止手段を構成する凸部と凹部とが、前記ベース板と前記基部との互いに対向する面にそれぞれ設けられていることを特徴とする請求項４，５，６のいずれか１つに記載の係止構造。
【請求項８】
前記抜止部は、前記係止具本体の係止部先端にフランジ状に形成され、前記取付体の係止軸先端より突出して該係止軸先端に係ることを特徴とする請求項１，２，３，４，５，６，７のいずれか１つに記載の係止構造。
【請求項９】
前記抜止部は、前記取付体のベース板表面に突設される鉤状突片と、前記係止具本体の基部に設けられる係合部とで構成され、前記鉤状突片と前記係合部とが係合することで前記取付体に対して前記係止具本体を抜脱不能とすることを特徴とする請求項１，２，３，４，５，６，７のいずれか１つに記載の係止構造。
【請求項１０】
前記係止軸は、前記貫通穴に連通するスリットを備えたことを特徴とする請求項１，２，３，４，５，６，７，８，９のいずれか１つに記載の係止構造。
【請求項１１】
前記係止軸は、先端の外側面に径方向に突出する係止突起が設けられ、前記壁面或いは床面の取付穴内で係止されることを特徴とする請求項１，２，３，４，５，６，７，８，９，１０のいずれか１つに記載の係止構造。
【発明の詳細な説明】
【０００１】
【発明の属する技術分野】
本発明は、壁面や床面などに装飾物などの被係止物を取り付ける係止構造、例えば、自動車の床面にフロアマットを敷込む場合などにも使用される係止構造に関するものである。
【０００２】
【従来の技術】
従来、室内壁面などに物などを吊り下げるフックや掛け具などは、下記特許文献１，２などの壁面に対して台板部分を粘着材や接着剤などにて接着固定するものがあり、また、下記特許文献３，４などの釘やネジなどを用いて固定するものがある。
【０００３】
このようなフックや掛け具は、壁面に対して、接着のみ、あるいは釘などの打設にて容易に取り付けが可能であり、構造も簡素で手軽に用いられている。
【０００４】
【特許文献１】
実開平２−４４８０号公報
【特許文献２】
実用新案登録第２５４６６０５号公報
【特許文献３】
実開平２−９６９６９号公報
【特許文献４】
実開平６−３１８０号公報
【０００５】
【発明が解決しようとする課題】
しかしながら、上述した従来のフックや掛け具は、簡素な構成であり、容易に壁面に取り付け固定が可能であるが、不要になったり、新しいものに交換する場合には、強固に固定されており、接着剤が剥がせない場合や、この接着剤を無理に剥がすことで壁面に傷を着けたり、あるいは、釘やネジを抜き去るなどの煩雑な作業などの欠点を有していた。
【０００６】
そこで本発明は、上記問題点を解消するために、壁面などに対して、容易に着脱を行うことが可能であり、かつ、形状やデザインあるいは機能を変更したい場合に、容易に交換することを可能とする係止構造を提供することを目的としている。
【０００７】
【課題を解決するための手段】
次に、上記の課題を解決するための手段を、実施の形態に対応する図面を参照して説明する。
この発明の請求項１記載の係止構造は、壁面３０或いは床面２０と被係止物２３，３２との間に介設される基部２Ａと、該基部２Ａの表面より突設され前記被係止物２３，３２が係止される対物係止部２Ｂ，２Ｄと、前記基部２Ａの裏面より突設され断面略長円形状の軸状に形成される係止部２Ｃと、を具備する係止具本体２と、
前記壁面３０或いは床面２０に穿設される取付穴１４に挿入される係止軸１１と、該係止軸１１の基端にフランジ状に設けられ前記取付穴１４の周囲を覆うベース板１０と、前記係止軸１１を軸線方向に貫通し前記ベース板１０中央に円形に開口するとともに前記係止軸１１の先端にて前記係止部２Ｃが貫通する略長円形状とされ該係止部２Ｃを回転自在に支持する貫通穴１２と、を具備する取付体３と、
前記取付体３の貫通穴１２に前記係止具本体２の係止部２Ｃが装着された状態で、前記係止具本体２と取付体３との互いに向き合う所定の面にそれぞれ設けられ、凸部９ｂと凹部９ａとで構成されて、取付体３に対する係止具本体２の回転を抑止する係止手段９と、
前記係止具本体２と前記取付体３とが、前記係止手段９にて回転を抑止された状態で、前記係止具本体２に対し前記取付体３を抜脱不能に係着させる抜止部８と、
を具備し、
前記取付穴１４に前記係止軸１１を挿通して取り付けられる前記取付体３の貫通穴１２に、前記係止具本体２の係止部２Ｃが挿入され、該係止部２Ｃを中心に前記取付体３に対して前記係止具本体２を所定角度回転させることで、前記取付体３の貫通穴１２を拡径し前記係止軸１１先端を前記取付穴１４内にて径方向に膨張させて、前記係止具本体２を前記取付体３を介して前記壁面３０或いは床面２０に取り付けることを特徴とする。
【０００８】
請求項２記載の係止構造は、前記対物係止部２Ｂは、先端が略鉤状に屈曲形成されていることを特徴とする。
【０００９】
請求項３記載の係止構造は、前記対物係止部２Ｄが、無端環状に形成されていることを特徴とする。
【００１０】
請求項４記載の係止構造は、前記係止具本体２の基部２Ａは、前記取付体３のベース板１０を覆う板状に形成されていることを特徴とする。
【００１１】
請求項５記載の係止構造は、前記係止具本体２の基部２Ａは、前記取付体３のベース板１０を覆うとともに、該ベース板１０の板面に沿って所定方向に延出する略長円板状に形成され、長手方向の一端近傍に前記係止部２Ｃが設けられ、長手方向の他端近傍に対物係止部２Ｂ，２Ｄが設けられていることを特徴とする。
【００１２】
請求項６記載の係止構造は、前記係止具本体２の基部２Ａは、前記取付体３のベース板１０を覆うとともに、該ベース板１０の板面に沿って所定方向に延出する略長円状に形成され、長手方向の一端近傍に前記係止部２Ｃが設けられ、長手方向の他端近傍に対物係止部２Ｂが設けられており、前記略鉤状先端が前記係止部２Ｃに向けて屈曲形成されることを特徴とする。
【００１３】
請求項７記載の係止構造は、前記係止手段９を構成する凸部９ｂと凹部９ａとが、前記ベース板１０と前記基部２Ａとの互いに対向する面にそれぞれ設けられていることを特徴とする。
【００１４】
請求項８記載の係止構造は、前記抜止部８は、前記係止具本体２の係止部２Ｃ先端にフランジ状に形成され、前記取付体３の係止軸１１先端より突出して該係止軸１１先端に係ることを特徴とする。
【００１５】
請求項９記載の係止構造は、前記抜止部８は、前記取付体３のベース板１０表面に突設される鉤状突片８ａと、前記係止具本体２の基部２Ａに設けられる係合部８ｂとで構成され、前記鉤状突片８ａと前記係合部８ｂとが係合することで前記取付体３に対して前記係止具本体２を抜脱不能とすることを特徴とする。
【００１６】
請求項１０記載の係止構造は、前記係止軸１１は、前記貫通穴１２に連通するスリット１３を備えたことを特徴とする。
【００１７】
請求項１１記載の係止構造は、前記係止軸１１は、先端の外側面に径方向に突出する係止突起１８が設けられ、前記壁面３０或いは床面２０の取付穴１４内で係止されることを特徴とする。
【００１８】
このような係止構造によれば、係止具本体２の係止部２Ｃを取付体３の貫通穴１２に挿通させた後、係止具本体２を所定角度回転させるという簡単な作業で、係止具本体２及び取付体３を壁面３０或いは床面２０に取り付けることができる。また、係止具本体２を所定角度回転させることで、取付体３に対して取り外す際も同様に容易に行うことができる。
また、被係止物２３，３２を取り付ける際は、係止部分３２ａ或いは係止穴２５を対物係止部２Ｂ，２Ｄに掛けることで取り付けが完了する。
【００１９】
さらに、凹部９ａとこれに係合する凸部９ｂよりなる係止手段９により、係止具本体２の取付体３に対する不要な回転は抑止され、被係止物２３，３２の取り付け作業を繁雑なものとしない。
【００２０】
また、この係止構造によれば、係止具本体２と取付体３とが別体構造であり、係止具本体２と取付体３との組合せの構成となることから、例えば、係止具本体２の形状やデザインを変更することも可能であり、鉤状に屈曲形成されている対物係止部２Ｂを備えた係止具本体２と、無端環状の対物係止部２Ｄを備えた係止具本体２とを交換、或いは、形状の異なる取付体３を交換など、容易に行うことが可能となる。
【００２１】
さらに、係止具本体２の基部２Ａを、板状に形成することで、取付体３のベース板１０を覆うことが可能となり、例えば、係止具本体２に意匠性を持たせることが可能となる。
【００２２】
また、板状に形成される基部２Ａの形状を、略長円板状に形成し、長手方向の両端にそれぞれ対物係止部２Ｂ，２Ｄと係止部２Ｃとを備える構成とすることで、取付体３に対する回転を行いやすくでき、すなわち、着脱の作業性を向上させることが可能となる。
【００２３】
さらに、係止軸１１の先端に、スリット１３が形成される構成とすることで、このスリット１３によって、係止軸１１の径方向への撓みが容易になり、取付体３への係止具本体２の取り付けが容易となる。
【００２４】
また、係止軸１１先端に係止突起１８を設ける構成とすることにより、係止軸１１が取付体３に取り付けられた状態で係止突起１８と取付穴１４とで係合状態となり、取付体３に対する係止具本体２の抜け止めがさらに強化される。
【００２５】
さらに、係止手段９を構成する凸部９ｂと凹部９ａとを、係止具本体２の基部２Ａと基部２Ａに対向する取付体３の互いに対向する面に設ける構成とすることで、これら凹部９ａと凸部９ｂとが、十分な面積をもって互いに向き合う基部２Ａ裏面と取付体３上面１０ａに設けられることになり、互いが確実に係合するために必要な十分な大きさを確保できる。また、取付体３の上面１０ａに設けられることで、床面２０や壁面３０よりも表出することとなり、取付作業時に、容易に係合状態を確認できる。
【００２６】
【発明の実施の形態】
本発明の係止構造は、家屋などの建物室内の壁面や床面、或いはその他の構築物における壁面や、自動車などの床面や室内壁面などに設けられ、壁面に装飾物を吊り下げたり、床面にマットなどを装着させたりすることを可能とするものである。
【００２７】
まず、床面としての自動車室内の床面２０に、被係止物としてのフロアマット２３を取り付ける構成となる係止構造について説明する。
【００２８】
図１は本発明による係止構造の一実施の形態を示す分解斜視図、図２は同係止構造を示す斜視図、図３は同係止構造の床面への取り付け手順を示す側断面図、図４は同正面断面図、図５（ａ），（ｂ）は係止具の取り付け手順を示す側断面、図６（ａ）は取付体の平面図、図６（ｂ）は図６（ａ）におけるＡ−Ａ線断面図である。
【００２９】
この実施の形態の係止構造は、自動車の床面２０に対して被係止物としてのフロアマット２３を敷き込む際に用いられ、自動車の床面２０とフロアマット２３の間に介設され、床面２０にフロアマット２３を係止させるものである。
【００３０】
自動車の床面２０は、自動車の床板２１とカーペット２２とで略構成されている。カーペット２２は、床板２１の上面に敷設されている。
これら床板２１とカーペット２２には、取付穴１４が貫通して穿設されている。本実施の形態では、カーペット２２に予め穿設されている挿通穴２４にグロメット１５が装着され、取付穴１４を構成している。
【００３１】
係止構造は、係止具本体２及び取付体３から構成されている係止具１と、取付穴１４とで略構成されている。
【００３２】
まず、係止具本体２は、基部２Ａと対物係止部としてのマット用係止部２Ｂと係止部２Ｃで略構成されている。
基部２Ａは、本実施の形態では、図１に示すように、略長円形の板状に形成されている。
マット用係止部２Ｂは、基部２Ａの長手方向の一端近傍における上面に突設されている。このマット用係止部２Ｂは、マット係止軸４と爪部５からなる。マット係止軸４は、円柱状に形成され、基部２Ａの板面に対して略垂直に設けられている。また、マット係止軸４の上端には、爪部５が形成されている。この爪部５は、図４に示すように、マット係止軸４の軸線方向に対して直交する方向に屈曲している。なお、マット係止軸４の下端には、テーパ状に形成される補強部６を有し、基部２Ａ上面に対する補強となっている。
【００３３】
係止部２Ｃは、軸部７と抜止部８とを備えている。
軸部７は断面略長円状に形成され、その断面形状における長軸が基部２Ａの長手方向と同方向となるように、基部２Ａの長手方向の他端近傍における下面に突設されている。この軸部７の先端となる下端には、抜止部８がフランジ状に形成されている。
【００３４】
また、係止部２Ｃの周囲に位置した基部２Ａの裏面には、係止手段９の一方を構成する凹部としての係合凹部９ａが設けられている。本実施の形態では、この係合凹部９ａは、略三角溝状に形成されている。この係合凹部９ａは、軸部７の中心を通り基部２Ａの長手方向に直交する放射方向に対となって設けられている（図３参照）。
【００３５】
次に、取付体３は、ベース板１０と係止軸１１で略構成されている。この取付体３は、円板形状のベース板１０の下面中央から、円柱状の係止軸１１が垂下方向に突出した構造となっている。
【００３６】
取付体３の上面中央には、図６（ａ）に示すように、貫通穴１２が開口形成されている。この貫通穴１２は、取付体３を垂下方向に貫通している。すなわち、貫通穴１２は、ベース板１０の上面中央から係止軸１１の下面まで貫通している。貫通穴１２の内径は、上述した係止部２Ｃの断面形状における長軸と同等とされる径に形成されている。一方、係止軸１１の下端の開口部分は、互いに平行となる対向した略平面にて略矩形状に開口形成されている。そして、ベース板１０の開口から係止軸１１の下端に至る貫通穴１２の内面１７は、図６（ａ），（ｂ）に示すように、上端から下端に連続して傾斜した曲面にて形成されている。
【００３７】
なお、ベース板１０の略ドーナツ状の上面１０ａには、係止手段９の他方を構成する凸部としての係合凸部９ｂが突設されている。本実施の形態では、図６（ｂ）に示すように、係合凸部９ｂは、断面略三角形の畦状に形成されている。また、この係合凸部９ｂは、貫通穴１２の周縁に放射方向に対となって設けられている。
また、ベース板１０の裏面には、図６（ｂ）に示すように、グロメット１５を覆うための裏面凹部１６が形成されている。
【００３８】
係止軸１１の外径は、取付穴１４の内径と同等もしくはやや細径の外径に形成されている。この係止軸１１には、図１及び図６（ｂ）に示すように、軸線方向に直交して形成されるスリット１３が形成されている。このスリット１３は、上述した貫通穴１２から係止軸１１下端に連続する対向した内面１７よりなり、その間隔は、下端に向かって狭まり、係止部２Ｃが挿通可能な間隔とされている。
【００３９】
次に、上記構成の係止具１を自動車の床面２０に取り付ける手順及びフロアマット２３を取り付ける手順について説明する。
なお、予め、自動車の床面２０のカーペット２２には、挿通穴２４にグロメット１５が装着されており、床板２１とともに、貫通して取付穴１４が設けられている。
【００４０】
まず、取付体３の係止軸１１を自動車の座席２６の下部に予め穿設されている取付穴１４に挿入する。このとき、取付体３のベース板１０上面に形成された係合凸部９ｂを、自動車の前後方向（図５（ａ）中矢線Ｘ）に対し直交する方向に位置するように配置する。
【００４１】
次に、係止具本体２の係止部２Ｃを取付体３の貫通穴１２に挿入する。このとき、係止具本体２の軸部７は、取付体３の係止軸１１のスリット１３の内側に挿入されており、軸部７は、その断面形状の長軸が対向する内面１７の間に、長手方向に沿う。なお、この状態での係止具本体２及び取付体３は、取付穴１４に対して挿入されたのみで、係合状態となっていない。
【００４２】
次に、係止具本体２を左右いずれかの方向、例えば図２及び図５（ｂ）に示すように中心軸線Ｏ１　を中心に矢線α方向へ回転させる。すると、軸部７の断面形状長軸の両端側となる外周面７ａが係止軸１１の対向する内面１７に当接し、さらに、係止具本体２の回転を続け、略９０度まで回転させると、軸部７の外周面７ａが対向する内面１７を押し拡げ、これにより、係止軸１１の外径が拡がり、係止軸１１の外周面が取付穴１４の内周面を押圧し、密着状態となる。
【００４３】
また、取付体３に対して係止具本体２を９０度回転させると、図５（ｂ）に示すように、係止具本体２の係合凹部９ａと取付体３の係合凸部９ｂが互いに係合される。この係合により、取付体３に対する係止具本体２の回転が抑止される。そして、係止具１と床面２０とが係着され取り付けが完了する。
【００４４】
なお、図５（ｂ）に示すように、係止具１が床面２０に取り付けられた状態では、係止部２Ｃに対してマット用係止部２Ｂは自動車の前方に位置し、爪部５の先端は自動車の後方を向く。
【００４５】
次に、床面２０の上には、フロアマット２３が載置される。
このフロアマット２３は、予め穿設された係止穴２５にマット用係止部２Ｂが挿通される。これにより、フロアマット２３は、床面２０上の定位置に保持され、取り付けられる。
【００４６】
自動車内のフロアマット２３は、通常、乗車した人の足によって自動車の前部に押されるが、その押される方向と反対方向に屈曲した爪部５によって、フロアマットの係止穴２５の抜けは防止される。
【００４７】
また、フロアマット２３を外すときは、フロアマット２３を持ち上げて爪部５の先端方向へ引けば、係止具本体２のマット係止軸４および爪部５からフロアマット２３を容易に取り外すことができる。
【００４８】
さらに、係止具１を外すには、まず、係止具本体２を、軸部７を中心に取付穴１４に対して左右いずれかへ回転させる。すなわち、対向する内面１７に当接していた軸部７を、断面形状の長軸の向きが対向する内面１７の間であるスリット１３の長手方向と同方向とする。
【００４９】
これにより、係止軸１１の外周面と取付穴１４の内周面との係合状態が解除され、同時に係合凹部９ａと係合凸部９ｂとの係合状態が解除されて、係止具本体２及び取付体３は、取付穴１４に挿入されたのみの互いに係合していない状態となり、係止具１を取付穴１４から引き抜くことによって容易に取り外すことができ、例えば、交換などの作業を行うことが可能となる。
【００５０】
この実施の形態によれば、係止具１を床面２０に取り付ける際、取付穴１４に取付体３を挿入して、取付体３の貫通穴１２に係止具本体２を挿入し、さらに係止具本体２を左右いずれかに回転させるという簡単な作業で、係止具１を床面２０に取り付けることが可能となる。また、係止具１を床面２０から取り外す際は、係止具本体２を左右いずれかに回転させ、引き抜くという簡単な作業で、係止具本体２及び取付体３を床面２０から取り外すことができる。
【００５１】
また、フロアマット２３をマット用係止部２Ｂに取り付ける際は、フロアマット２３の係止穴２５をマット用係止部２Ｂに挿通させることで容易に取り付けが完了する。逆に、フロアマット２３をマット用係止部２Ｂから取り外す際は、フロアマット２３を、マット用係止部２Ｂの先端方向へ引きながら持ち上げれば容易に取り外すことができる。そして、爪部５の先端が、自動車の後方を向くことによって、通常、乗車に係わる動作では外れにくくなる。
【００５２】
また、基部２Ａ裏面の係合凹部９ａとベース板１０上面の係合凸部９ｂを係合させる係止手段９によって、係止具本体２の床面２０に対する不要な回転は抑止され、フロアマット２３の取り付け作業を繁雑なものとしない。
【００５３】
なお、上述した実施の形態では、係止具本体２の基部２Ａの形状を略長円形状とした例について説明したが、図７に示すように、基部２Ａの形状を略真円状の円板状に形成した構成としてもよい。この円板状の基部２Ａの場合、その上面中心からマット用係止部２Ｂ、下面中心から係止部２Ｃが突設される略一本の軸状の構造となる。このような構造とすることで、係止具本体２を、中心軸線Ｏ２　を中心に矢線β方向へ回転させ取り付けた状態となっても、マット用係止部２Ｂは、取付穴１４に対して同軸芯上に位置することから、この係止具１を取り付けるための場所が狭い場合でも係止具を取り付けることが可能となる。そして、この係止具本体としては、上記した実施の形態の係止具本体２と交換を可能とすることとなり、１つの取付体３に対して、２種類の係止具本体２を用意できる構成とすることが可能となる。
【００５４】
また、上述した実施の形態では、係止軸１１下端において、径方向に形成されているスリット１３が１つのみである例について説明したが、図８に示すように、複数のスリット１３が係止軸１１の径方向に対し略放射状に形成される構成としてもよい。このような構造とすれば、係止軸１１の径方向外側への撓みが容易になり、係止具本体２の取付体３への取り付けが容易になる。
【００５５】
さらに、上述した実施の形態では、係止軸１１の外周面が取付穴１４の内周面を押圧することによって、互いを密着状態とし、係止具１を床面２０に係着する構成としていたが、図９に示すように、係止軸１１の下端における外周面に、略鉤状となるような、径方向に突出する係止突起１８を設けてもよい。この係止突起１８によれば、係止軸１１が取付穴１４の内周面に当接するとともに、この係止突起１８が、取付穴１４の周縁部分である床板２１の裏面と係合し、これにより、床面２０に対する係止具１の抜け止めがさらに強化される。なお、この係止突起１８は、上記したスリット１３が複数形成される係止軸１１に設ける構成としても、同様に抜け止めを強化できる。
【００５６】
また、上述した実施の形態では、取付穴１４の構成として、カーペット２２に穿設されている貫通穴２４にグロメット１５が装着される例を示したが、この貫通穴２４の内周縁部を樹脂素材によって端縁処理し、すなわち、貫通穴２４の周縁を合成樹脂にて固め、縁を形成して取付穴１４としてもよい。この構成によれば、フロアマットの係止構造を構成する部材点数を削減することができる。すなわち、加工行程の縮小効果を得られ、安価に構成することが可能となる。
【００５７】
さらに、上述した実施の形態では、係止手段９を構成する係合凹部９ａと係合凸部９ｂが、９０度回転して互いが係合する例を説明したが、９０度以外の回転角度で係合するように設けても同様の効果が得られる。
【００５８】
また、上述した実施の形態では、係止具本体２に係合凹部９ａを設け、取付体３に係合凸部９ｂを設けた構成について述べたが、図１０（ａ）に示すように、係止具本体２に係合凸部３３ｂを設け、取付体３に係合凹部３３ａを設けても上記同様の効果が得られる。
【００５９】
さらに、上述した実施の形態では、係合凹部の形状を断面略三角溝状とし、係合凸部の形状を断面略三角形の畦状とした例について説明したが、図１０（ｂ）に示すように、係合凹部４０ａを断面略半円溝状に形成し、係合凸部４０ｂを断面略半円形状に形成する構成としてもよく、同様の効果が得られる。
【００６０】
また、図１０（ｃ）に示すように、係止手段９のには、係合凹部５０ａを湾曲凹面状に形成し、係合凸部５０ｂを、この係合凹部５０ａに対応する半球状に突設形成される構成としてもよく、同様の効果が得られる。
【００６１】
さらに、上述した実施の形態では、係止手段９を、係止具本体２の基部２Ａ裏面と、取付体３の上面とに設けられる例について示したが、係止手段９を構成する凹部と凸部は、取付体３の貫通穴１２に係止具本体２の係止部２Ｃが装着された状態で、係止具本体２と取付体３との互いに向き合ういずれかの面にそれぞれ設けられていればよく、取付体３に対して係止具本体２の回転が抑止されればよい。
【００６２】
次に、本発明の係止構造を室内壁面に取り付ける実施の形態について説明する。
【００６３】
図１１は本発明による係止構造の実施の形態を示す分解斜視図、図１２は同係止構造を示す分解斜視図、図１３は同係止構造の壁面への取り付け手順を示す斜視図である。
【００６４】
この実施の形態の係止構造は、室内壁面３０に対して被係止物としての装飾物等を吊り下げる際に用いられ、壁面と装飾物との間に介設される。
【００６５】
なお、以下の実施の形態の説明において、上記実施の形態で説明した部位と同等の部位には同一の符号を付し、重複する説明は省略するものとする。
【００６６】
この実施の形態では、係止具本体２の対物係止部として図１１に示すように、無端環状に形成される環状係止部２Ｄを備えた構成とされる。
また、基部２Ａは、上記実施の形態に換え、杆状に形成される。
すなわち、図１１，１２に示すように、環状係止部２Ｄと杆状の基部２Ａとで、略Ｄ字状に形成されている。
【００６７】
基部２Ａの表面側には、係止手段９の一方を構成する凹部としての係合凹部９ａが形成される。この係合凹部９ａは、基部２Ａの両端近傍にそれぞれ形成される。
【００６８】
取付体３は円板状のベース板１０の表面に、抜止部８の一方を構成する鉤状突片８ａが突設される。これら鉤状突片８ａは、図１１に示すように、略Ｌ字状に形成され、中央の貫通穴１２に対し、対向する位置とされ、それぞれが相反する方向に先端が延出するように形成されている。
これら鉤状突片８ａの先端側裏面には、係止手段９の他方を構成する凸部としての係合凸部９ｂが突片状に形成されている。
【００６９】
抜止部８の他方を構成する係合部８ｂは、係止具本体２の基部２Ａに設けられる。この係合部８ｂは、本実施の形態では、上記した係合凹部９ａを兼ねており、杆状に形成される基部２Ａの両端近傍に設けられる。
【００７０】
取付体３の係止軸１１に形成されるスリット１３の内面１７は、図１２に示すように、先端近傍に、スリット内幅を狭めるように段部１７ａが対向形成されている。そして、ベース板１０中央の円形状とされる貫通穴１２の内周縁から係止軸１１先端の対向内面にかけて連続して形成され、対向内面が先端に向かって狭まるスリット１３を形成している。
【００７１】
次に、上記構成の係止具１を室内壁面３０に取り付ける手順及び装飾物３２を取り付ける手順について説明する。
なお、予め、室内壁面３０には、取付体３の係止軸１１の外径と略同等の内径に形成される取付穴１４が穿設される（図１１参照）。
【００７２】
まず、取付体３の係止軸１１を室内壁面３０に予め穿設されている取付穴１４に挿入する。このとき、例えば、取付体３のベース板１０上面に形成された各抜止部８を、鉛直方向に並ぶように配置させる。
【００７３】
次に、係止具本体２の係止部２Ｃを取付体３の貫通穴１２に挿入する。このとき、係止具本体２は図１３（ａ）に示すように略水平な状態とされて、係止具本体２の軸部７は、取付体３の係止軸１１のスリット１３の内側に挿入されており、軸部７は、その断面形状の長軸が対向する内面１７の間に、長手方向に沿う。なお、図１３（ｂ）に示すこの状態での係止具本体２及び取付体３は、取付穴１４に対して挿入されたのみで、係合状態となっていない。
【００７４】
次に、係止具本体２を、図１３（ｂ）に示すように中心軸線Ｏ１　を中心に矢線α方向へ回転させる。すると、軸部７の断面形状長軸の両端側となる外周面７ａが係止軸１１の対向する内面１７に当接し、さらに、係止具本体２の回転を続け、略９０度回転させると、軸部７の外周面７ａが対向する内面１７を押し拡げ、これにより、図１４に示すように、係止軸１１の外径が拡がり、係止軸１１の外周面が取付穴１４の内周面を押圧し、密着状態となる。
【００７５】
また、取付体３に対して係止具本体２を９０度回転させると、図１４に示すように、係止具本体２の基部２Ａが、抜止部８にて係合状態となり、同時に、係止具本体２の係合凹部９ａと取付体３の係合凸部９ｂが互いに係合される。この係合により、取付体３に対する係止具本体２の回転が抑止され、かつ、抜止部８により、取付体３に対する係止具本体２の抜脱を不能とする。そして、係止具１と壁面３０とが係着され取り付けが完了する。
【００７６】
なお、図１５に示すように、係止具１が壁面３０に取り付けられた状態では、環状係止部２Ｄは環部分が垂直となる。
【００７７】
そして、次に、装飾物３２の係止部分３２ａを環状係止部２Ｄに掛ける（図１４，１５参照）。これにより、室内壁面３０には、装飾物３２が吊り下げられることとなる。
【００７８】
また、係止具１を外すには、まず、係止具本体２を、軸部７を中心に取付穴１４に対して上記回転方向とは逆の方向に回転させる。すなわち、抜止部８による係合状態の基部２Ａを離脱させ、対向する内面１７に当接していた軸部７を、断面形状の長軸の向きが対向する内面１７の間であるスリット１３の長手方向と同方向とする。
【００７９】
これにより、係止軸１１の外周面と取付穴１４の内周面との係合状態が解除され、同時に係合凹部９ａと係合凸部９ｂとの係合状態が解除されて、係止具本体２及び取付体３は、取付穴１４に挿入されたのみの互いに係合していない状態となり、係止具１を取付穴１４から引き抜くことによって容易に取り外すことができる。
【００８０】
この実施の形態によれば、係止具１を壁面３０に取り付ける際、取付穴１４に取付体３を挿入して、取付体３の貫通穴１２に係止具本体２を挿入し、さらに係止具本体２を回転させるという簡単な作業で、係止具１を壁面３０に取り付けることが可能となる。また、係止具１を壁面３０から取り外す際は、係止具本体２を逆方向に回転させ、引き抜くという簡単な作業で、係止具本体２及び取付体３を壁面３０から取り外すことができる。
【００８１】
また、装飾物３２を環状係止部２Ｂに吊り下げる際は、装飾物３２の係止部分３２ａを掛けることで容易に吊り下げが完了する。
【００８２】
また、基部２Ａの係合凹部９ａとベース板１０の係合凸部９ｂを係合させる係止手段９によって、係止具本体２の壁面３０に対する不要な回転は抑止され、装飾物３２の取り付け作業を繁雑なものとしない。
【００８３】
なお、上述した実施の形態では、係止具本体２の基部２Ａの形状を杆状とした例について説明したが、この基部２Ａの形状を略真円状の円板状に形成した構成としてもよい。この円板状の基部２Ａの場合、取付体３のベース板１０を覆い隠すことが可能となり、例えば、基部２Ａの表面に意匠性を備えたものとしても良い。
【００８４】
また、上述した実施の形態では、係止軸１１下端において、径方向に形成されているスリット１３が１つのみである例について説明したが、前述した実施の形態と同様に、複数のスリット１３が係止軸１１の径方向に対し略放射状に形成される構成としてもよい（図８参照）。このような構造とすれば、係止軸１１の径方向外側への撓みが容易になり、係止具本体２の取付体３への取り付けが容易になる。
【００８５】
さらに、上述した実施の形態では、抜止部８の構成を、取付体３のベース板１０の表面に突設する構成とした例を示したが、係止軸１１の下端における外周面に、略鉤状となるような、径方向に突出する係止突起１８を設けてもよい（図９参照）。この係止突起１８によれば、係止軸１１が取付穴１４の内周面に当接するとともに、この係止突起１８が、取付穴１４の周縁部分である壁面３０の裏面と係合し、これにより、壁面３０に対する係止具１の抜け止めがさらに強化される。なお、この係止突起１８は、上記したスリット１３が複数形成される係止軸１１に設ける構成としても、同様に抜け止めを強化できる。
【００８６】
また、上述した実施の形態では、係止手段９を構成する係合凹部９ａと係合凸部９ｂが、９０度回転して互いが係合する例を説明したが、９０度以外の回転角度で係合するように設けても同様の効果が得られる。
【００８７】
さらに、上述した実施の形態では、係止手段９を、基部２Ａと抜止部８とに設けられる例について示したが、係止手段９を構成する凹部と凸部は、取付体３の貫通穴１２に係止具本体２の係止部２Ｃが装着された状態で、係止具本体２と取付体３との互いに向き合ういずれかの面にそれぞれ設けられていればよく、取付体３に対して係止具本体２の回転が抑止されればよい。
【００８８】
また、上述した実施の形態では、室内壁面３０について詳述していないが、例えば、パンチングボードのように多数の穴が穿設形成される壁面とされれば、所望の位置の穴を取付穴１４とし、この取付穴１４に、本実施の形態の係止具１を取り付けることが可能となる。
そして、このような壁面３０であれば、装飾物などの吊り下げたい物を任意の位置に取り付け、吊り下げることが可能となる。
【００８９】
さらに、係止具本体２の対物係止部として、環状の係止部２Ｄとしたが、前述した鉤状の係止部（２Ｂ）にて構成してもよく、このような形状の対物係止部とすれば、壁面に対してフックを取り付ける構成とすることができ、すなわち、使用形態に合せて対物係止部を交換することが可能となる。
【００９０】
また、この対物係止部としては、上記した各実施の形態のような形状以外の形状としてもよく、壁面や床面に穿設される取付穴１４に対して取付体３を取り付け、被係止物に対して係止可能な所定の形状を備える形状であれば、これらに限定されるものではない。
【００９１】
【発明の効果】
以上説明したように本発明による係止構造では、係止具本体の係止部を取付体の貫通穴に挿通させた後、係止具本体を所定角度回転させるという簡単な作業で、係止具本体及び取付体を壁面或いは床面に取り付けることができる。また、係止具本体を所定角度回転させることで、取付体に対して取り外す際も同様に容易に行うことができる。
また、被係止物を取り付ける際は、この被係止部に備わる係止部分或いは係止穴を対物係止部に掛けることで取り付けが完了する。
【００９２】
さらに、凹部とこれに係合する凸部よりなる係止手段により、係止具本体の取付体に対する不要な回転は抑止され、被係止物の取り付け作業を繁雑なものとしない。
【００９３】
また、この係止構造によれば、係止具本体と取付体とが別体構造であり、係止具本体と取付体との組合せの構成となることから、例えば、係止具本体の形状やデザインを変更することも可能であり、鉤状に屈曲形成されている対物係止部を備えた係止具本体と、無端環状の対物係止部を備えた係止具本体とを交換、或いは、形状の異なる取付体を交換など、機能的なことの変更についても容易に行うことが可能となる。
【００９４】
さらに、係止具本体の基部を、板状に形成することで、取付体のベース板を覆うことが可能となり、例えば、係止具本体に意匠性を持たせることが可能となる。
【００９５】
また、板状に形成される基部の形状を、略長円板状に形成し、長手方向の両端にそれぞれ対物係止部と係止部とを備える構成とすることで、取付体に対する回転を行いやすくでき、すなわち、着脱の作業性を向上させることが可能となる。
【００９６】
さらに、係止軸の先端に、スリットが形成される構成とすることで、このスリットによって、係止軸の径方向への撓みが容易になり、取付体への係止具本体の取り付けが容易となる。
【００９７】
また、係止軸先端に係止突起を設ける構成とすることにより、係止軸が取付体に取り付けられた状態で係止突起と取付穴とで係合状態となり、取付体に対する係止具本体の抜け止めがさらに強化される。
【００９８】
さらに、係止手段を構成する凸部と凹部とを、係止具本体の基部とこの基部に対向する取付体の互いに対向する面に設ける構成とすることで、これら凹部と凸部とが、十分な面積をもって互いに向き合う基部裏面と取付体上面に設けられることになり、互いが確実に係合するために必要な十分な大きさを確保できる。また、取付体の上面に設けられることで、床面や壁面よりも表出することとなり、取付作業時に、容易に係合状態を確認できる。
【図面の簡単な説明】
【図１】本発明の係止構造の一実施の形態を示す分解斜視図である。
【図２】同係止構造の斜視図である。
【図３】同係止構造の正面断面図である。
【図４】同係止構造の側断面図である。
【図５】（ａ）同係止構造の取り付け手順を示す側断面図である。
（ｂ）同係止構造の取り付け手順を示す側断面図である。
【図６】（ａ）同係止構造を構成する取付体の平面図である。
（ｂ）図６（ａ）におけるＡ−Ａ線断面図である。
【図７】本発明の係止構造の他の実施の形態を示す斜視図である。
【図８】本発明の係止構造の他の実施の形態を示す側断面図である。
【図９】本発明の係止構造の他の実施の形態を示す側断面図である。
【図１０】（ａ）本発明の係止構造の他の実施の形態を示す斜視図である。
（ｂ）本発明の係止構造の他の実施の形態を示す斜視図である。
（ｃ）本発明の係止構造の他の実施の形態を示す斜視図である。
【図１１】本発明による係止構造の他の実施の形態を示す分解斜視図である。
【図１２】同係止構造を示す分解斜視図である。
【図１３】（ａ）同係止構造の壁面への取り付け手順を示す斜視図である。
（ｂ）同係止構造の壁面への取り付け手順を示す斜視図である。
【図１４】同係止構造の取付状態を示す平断面図である。
【図１５】同係止構造の取付状態を示す正面図である。
【符号の説明】
２…係止具本体
２Ａ…基部
２Ｂ…対物係止部（マット用係止部）
２Ｃ…係止部
２Ｄ…対物係止部（環状係止部）
３…取付体
８…抜止部
９…係止手段
９ａ…凹部（係合凹部）
９ｂ…凸部（係合凸部）
１０…ベース板
１１…係止軸
１２…貫通穴
１３…スリット
１４…取付穴
１８…係止突起
２０…床面
２３…被係止物（フロアマット）
３０…壁面
３２…被係止物（装飾物）
【図１】
2004137858.tif 000003
【図２】
2004137858.tif 000004
【図３】
2004137858.tif 000005
【図４】
2004137858.tif 000006
【図５】
2004137858.tif 000007
【図６】
2004137858.tif 000008
【図７】
2004137858.tif 000009
【図８】
2004137858.tif 000010
【図９】
2004137858.tif 000011
【図１０】
2004137858.tif 000012
【図１１】
2004137858.tif 000013
【図１２】
2004137858.tif 000014
【図１３】
2004137858.tif 000015
【図１４】
2004137858.tif 000016
【図１５】
2004137858.tif 000017